(57)【特許請求の範囲】
【請求項１】
多数本の爪楊枝（１０）を該爪楊枝（１０）の尖った先端を下向きにしてケース（２）に納装すると共に、該爪楊枝（１０）の基部側の端面は前記ケース（２）の上面より露出しており、
前記多数本の爪楊枝（１０）の端面に文字や図柄などのデザインを接着機能を備えた描画手段にて描いた際に、前記描画手段の接着機能により隣り合う爪楊枝（１０）を接着させるようにしていることを特徴とする多数本の爪楊枝を利用した表示装置。
【請求項２】
前記描画手段は、レーザー光としていることを特徴とする請求項１に記載の多数本の爪楊枝を利用した表示装置。
【請求項３】
前記描画手段は、可食インキとしていることを特徴とする請求項１に記載の多数本の爪楊枝を利用した表示装置。
【請求項４】
前記爪楊枝（１０）の表面には、単色あるいは複数色の帯状の着色部（１２）を装飾していることを特徴とする請求項１〜請求項３のいずれかに記載の多数本の爪楊枝を利用した表示装置。
【請求項５】
前記爪楊枝（１０）の表面に、大吉などの文字を印字しておみくじとして利用していることを特徴とする請求項１〜請求項４のいずれかに記載の多数本の爪楊枝を利用した表示装置。
【発明の詳細な説明】
【技術分野】
【０００１】
本発明は、爪楊枝の基部側の端面を上側にして多数本の爪楊枝をケースに入れてこれら多数本の爪楊枝を利用した表示装置に関するものである。
【背景技術】
【０００２】
従来より爪楊枝（つまようじ）が販売されているが、爪楊枝が販売されている形態は、円形のケースに多数本の爪楊枝が収納され、雑然と積まれているのが現状である。また、これらのケース内に収納されている爪楊枝の基部の形状は、何本かの溝を基部の表面に入れて略こけしの形状としている。そして、爪楊枝の基部の端面は髪の毛の色を想定させるように少し黒くあるいは焦げ茶にしている。
【０００３】
爪楊枝は一般的には、何百本という多数本でも何百円という低額のたぐいの商品であり、また、爪楊枝自体にも積極的に意匠も施されておらず、上述のようにせいぜい爪楊枝の基部にこけしの形状を施しているに過ぎない。
また、これらの爪楊枝を収納しているケースも透明あるいは半透明で、ケースの上面を見ても爪楊枝の基部をこけしに見せるために黒くしているので、ケースの上面を見ても全体的にやや黒くあるいは焦げ茶っぽくなっている。
【発明の概要】
【発明が解決しようとする課題】
【０００４】
現在、爪楊枝が買われる場合、消費者が単に爪楊枝の必要性がある場合のみであり、また、爪楊枝自体、あるいは爪楊枝を収納しているケースにデザインや意匠を施して、爪楊枝を積極的に消費者にアピールしたり何かを表示させるということは何ら行なわれていないのが現状である。
【０００５】
本発明は上述の問題点に鑑みて提供したものであって、多数本の爪楊枝を用いて爪楊枝の端面にデザインを施すことで、爪楊枝自体をアピールし、消費者に関心を持たせて爪楊枝の購買意欲を高めるようにした多数本の爪楊枝を利用した表示装置を提供することを目的としているものである。
【課題を解決するための手段】
【０００６】
そこで、本発明の請求項１に記載の多数本の爪楊枝を利用した表示装置では、多数本の爪楊枝１０を該爪楊枝１０の尖った先端を下向きにしてケース２に納装すると共に、該爪楊枝１０の基部側の端面は前記ケース２の上面より露出しており、
前記多数本の爪楊枝１０の端面に文字や図柄などのデザインを接着機能を備えた描画手段にて描いた際に、前記描画手段の接着機能により隣り合う爪楊枝１０を接着させるようにしていることを特徴としている。
【０００７】
請求項２に記載の多数本の爪楊枝を利用した表示装置では、前記描画手段は、レーザー光としていることを特徴としている。
【０００８】
請求項３に記載の多数本の爪楊枝を利用した表示装置では、前記描画手段は、可食インキとしていることを特徴としている。
【０００９】
請求項４に記載の多数本の爪楊枝を利用した表示装置では、前記爪楊枝１０の表面には、単色あるいは複数色の帯状の着色部１２を装飾していることを特徴としている。
【００１０】
請求項５に記載の多数本の爪楊枝を利用した表示装置では、前記爪楊枝１０の表面に、大吉などの文字を印字しておみくじとして利用していることを特徴としている。
【発明の効果】
【００１１】
本発明の請求項１に記載の多数本の爪楊枝を利用した表示装置によれば、多数本の爪楊枝１０を該爪楊枝１０の尖った先端を下向きにしてケース２に納装すると共に、該爪楊枝１０の基部側の端面は前記ケース２の上面より露出しており、前記多数本の爪楊枝１０の端面に文字や図柄などのデザインを接着機能を備えた描画手段にて描いた際に、前記描画手段の接着機能により隣り合う爪楊枝１０を接着させるようにしているので、多数本の爪楊枝１０を利用した今までに無い表示媒体を形成でき、そのため、爪楊枝１０自体をアピールすることができ、この表示されているデザインに消費者が関心も持ち、この関心を持った消費者が爪楊枝１０を買いたくなるという購買意欲を高めることができる。
【００１２】
請求項２に記載の多数本の爪楊枝を利用した表示装置によれば、描画手段は、レーザー光としているので、文字、図柄、文字及び図柄を組み合わせたデザインを描いているので、大量生産を容易に行なうことができる。
【００１３】
請求項３に記載の多数本の爪楊枝を利用した表示装置によれば、描画手段は、可食インキとしているので、人が筆で任意のデザインを描くこともできるし、また、任意の色彩の可食インキも使用することで、カラフルなデザインを爪楊枝１０の端面に描くことができる。
【００１４】
請求項４に記載の多数本の爪楊枝を利用した表示装置によれば、爪楊枝１０の表面には、単色あるいは複数色の帯状の着色部１２を装飾していることで、爪楊枝１０の端面にはデザインが施されており、また、爪楊枝１０の側面には着色部１２にて装飾されていることで、意匠的効果を発揮できて、消費者の注意を一層惹きつけることができる。
【００１５】
請求項５に記載の多数本の爪楊枝を利用した表示装置によれば、爪楊枝１０の表面に、大吉などの文字を印字しておみくじとして利用していることで、例えば、パーティなどで多くの人が集まった時に、爪楊枝１０を下ケース２から引き抜いて運命判断などその場を楽しい雰囲気に盛り上げることができる。
【図面の簡単な説明】
【００１６】
【図１】本発明の実施の形態におけるケース本体の正面図である。
【図２】本発明の実施の形態における下ケースに多数本の爪楊枝を納装しているのを示す正面図である。
【図３】本発明の実施の形態における下ケースに多数本の爪楊枝を納装しているのを示す拡大平面図である。
【図４】本発明の実施の形態における多数本の爪楊枝の端面にデザインを施した状態を示す説明図である。
【図５】本発明の実施の形態における多数本の爪楊枝の端面にレーザー光によりデザインを施している状態を示す説明図である。
【図６】本発明の実施の形態における多数本の爪楊枝の端面に舞妓の図柄をデザインした状態を示す説明図である。
【図７】本発明の実施の形態における多数本の爪楊枝の端面に五重の塔の図柄をデザインした状態を示す説明図である。
【図８】本発明の実施の形態における多数本の爪楊枝の端面にナイフとフォークの図柄をデザインした状態を示す説明図である。
【図９】（ａ）〜（ｅ）は本発明の実施の形態における爪楊枝の示に帯状の着色部を装飾した場合の説明図である。
【図１０】本発明の実施の形態における着色部を装飾した爪楊枝を下ケースに納装した場合の説明図である。
【図１１】（ａ）〜（ｃ）は本発明の実施の形態における爪楊枝の大吉などの印字をした場合の説明図である。
【図１２】本発明の実施の形態における爪楊枝をおみくじとして利用する場合の説明図である。
【図１３】本発明の実施の形態におけるケース本体を円形にした場合の説明図である。
【図１４】本発明の実施の形態におけるケース本体を長方形状とした場合の説明図である。
【発明を実施するための形態】
【００１７】
以下、本発明の実施の形態を図面を参照して詳細に説明する。図１は多数本の爪楊枝を納装したケース本体１の正面図を示し、ケース本体１は、下ケース２と、この下ケース２の上部を覆うように開け閉め自在な上ケース３とで構成されている。
下ケース２は、断面が四角形状で下面は閉塞されて上面が開口されている。また、上ケース３は、下ケース２より大きく形成されていて、上面が閉塞されて下面が開口されている。
【００１８】
図２及び図３は上ケース３を取った状態の正面図及び拡大平面図を示している。図２及び図３に示すように、下ケース２内には爪楊枝１０の尖っている先端を下向きにし、爪楊枝１０の基部の端面（図では上面）を上向きにして多数本の爪楊枝１０を収納している。
なお、ケース本体１の材料は、紙製やプラスチックでもよく、また、プラスチック製とした場合では、透明や半透明でも良い。
【００１９】
多数本の爪楊枝１０の下ケース２への入れ具合（爪楊枝１０の詰め具合）であるが、爪楊枝１０をぎゅうぎゅう詰めにして下ケース２を逆さにしても爪楊枝１０が下ケース２から落下しないようにするのではない。つまり、下ケース２に爪楊枝１０をある程度ぎっしりと詰めていき、隣り合う爪楊枝１０の表面同士が接触している状態であって、下ケース２を逆さにした場合、下ケース２から幾本かの爪楊枝１０がパラパラと落下する程度であり、端の爪楊枝１０を指でつまんで引き抜くことができる程度に爪楊枝１０を下ケース２内に詰めるようにしている。
【００２０】
図２及び図３に示す状態、つまり、下ケース２内に爪楊枝１０を単に入れている状態では従来より市販されている形態と変わらないが、本実施形態では、図４に示すように、多数本の爪楊枝１０の基部側の端面を利用してデザインを施すようにしているのが特徴である。
【００２１】
すなわち、図４に示すように、下ケース２内に多数本の爪楊枝１０を詰めている状態で、複数本の爪楊枝１０の端面に連ならせてデザインを施して意匠的効果を発揮させている。図４の例では、デザインとして、アルファベットの「Ｒ」の文字を施しているが、複数のアルファベットの組み合わせや、数字や絵柄を施すようにしても良い。
【００２２】
この多数本の爪楊枝１０の端面に表示させるデザインの施し方は、本実施形態では、以下のようにしている。すなわち、図５に示すように、パソコンに予めデザインを入力しておき、このパソコンにてレーザー装置２０からレーザー光を爪楊枝１０の端面に照射して、デザインのデータ通りにレーザー光が移動してデザインを施すことができる。
【００２３】
ここで、爪楊枝１０の端面にレーザー光を当てて、任意の文字や図柄を描くと、レーザー光が照射された部分（文字や図柄が描かれている部分）は、レーザー光が照射されていない爪楊枝１０の端面より約０．５ｍｍ程度凹んでしまう。これは、レーザー光の熱により爪楊枝１０の端面が焼けて凹んだものである。また、爪楊枝１０の端面が焼けることで、その面は焦げて焦げ茶色となり、その焦げ目でデザインが描かれることになる。
【００２４】
この爪楊枝１０の端面側が焼けることで、木である爪楊枝１０が焼けた際に爪楊枝１０の内部から若干の樹液が出てくる。爪楊枝１０の内部から出てきた樹液により隣り合う爪楊枝１０同士が接着されることになる。この爪楊枝１０同士の樹液による接着力が強くはなく、接着力自体は弱いものの、多数本の爪楊枝１０が隣り合う爪楊枝１０同士が接触している状態なので、端面にデザインが施された爪楊枝１０自体は剥がれることなく隣り合う爪楊枝１０同士は接着状態を維持している。
【００２５】
そのため、端面にデザインが施された爪楊枝１０自体は、水平方向には移動したりすることはなく、また、爪楊枝１０自体が回転もせず、その状態を維持している。
したがって、図４に示すように、「Ｒ」の文字の外側や内側の直線部分や曲線部分も途中で爪楊枝１０が移動することによる段差も生じることなく、連続した直線部分や曲線部分を維持し、そのため、全体としてハッキリ、クッキリとした状態でデザインを表示させることができる。
【００２６】
図６は、多数本の爪楊枝１０の端面に舞妓の図柄を描いたものであり、また、図７では、五重の塔を描いた場合を示している。図８はナイフとフォークの図柄を描いた例を示している。
このように、多数本の爪楊枝１０の端面上に文字や図柄などのデザインを施していることで、多数本の爪楊枝１０を利用した今までに無い表示媒体を形成でき、そのため、爪楊枝１０自体をアピールすることができ、この表示されているデザインに消費者が関心も持ち、この関心を持った消費者が爪楊枝１０を買いたくなるという購買意欲を高めることができる。
また、レーザー光により文字、図柄、文字及び図柄を組み合わせたデザインを描いているので、大量生産を容易に行なうことができる。
【００２７】
上記の実施形態では、爪楊枝１０自体には何ら装飾を施していなかったが、爪楊枝１０自体に装飾を施すようにしても良い。図９は、爪楊枝１０の基部側の周面に帯状で任意の色を着色させた着色部１２を形成した場合を示している。
【００２８】
図９（ａ）の着色部１２は、１色とした場合であり、色は、例えば赤色であり、同図（ｂ）は着色部１２を２色とし、色は、赤色と黄色であり、同図（ｃ）は着色部１２を３色とし、色は、赤色、黄色、赤色とした場合である。また、同図（ｄ）は着色部１２を４色とし、赤色、緑色、黒色、黄色とし、同図（ａ）は着色部１２を５色とし、赤色、緑色、黒色、黄色、水色とした場合である。
これら着色部１２の色は、任意の着色すればよく、また、帯状の本数も任意の本数にすることができる。なお、爪楊枝１０は口に入れるものなので、着色部１２に着色するインキは、可食インキを用いている。
【００２９】
図１０は、着色部１２を設けた爪楊枝１０を下ケース２に納装し、着色部１２が見えるようにしている。これにより、爪楊枝１０の端面にはデザインが施されており、また、爪楊枝１０の側面には着色部１２にて装飾されていることで、意匠的効果を発揮できて、消費者の注意を一層惹きつけることができる。
【００３０】
図１１は、爪楊枝１０をおみくじとして利用したものである。図１１（ａ）は「大吉」を、同図（ｂ）は「中吉」を、同図（ｃ）は「末吉」を印字した例を示している。なお、この印字は、レーザー光にて簡単に印字することができる。
かかる場合では、図１２に示すように、例えば、パーティなどで多くの人が集まった時に、爪楊枝１０を下ケース２から引き抜いて運命判断などその場を楽しい雰囲気に盛り上げることができる。また、図１１の爪楊枝１０に図９に示す着色部１２を組み合わせるようにしても良い。
【００３１】
なお、上記実施形態では、ケース本体１の形状を略正方形状としていたが、正方形状に限らず、図１３に示すように、円形としたり、図１４に示すように、長方形状としても良い。
【００３２】
ところで、上記実施形態では、多数本の爪楊枝１０の端面にデザインを施すのに、レーザー光にて行なっていたが、レーザー光に限るものではない。例えば、隣り合う爪楊枝１０の端面間に可食インキを塗布し、この可食インキが乾燥した場合に隣り合う爪楊枝１０同士が軽く接着するようにこの可食インキに粘性を持たせるようにしても良い。
かかる場合、人が筆で任意のデザインを描くこともできるし、また、任意の色彩の可食インキも使用することで、カラフルなデザインを爪楊枝１０の端面に描くことができる。
【符号の説明】
【００３３】
１  ケース本体
２  下ケース
３  上ケース
１０  爪楊枝
１２  着色部
２０  レーザー装置
【要約】
【課題】多数本の爪楊枝を用いて爪楊枝の端面にデザインを施すことで、爪楊枝自体をアピールし、消費者に関心を持たせて爪楊枝の購買意欲を高めること。
【解決手段】多数本の爪楊枝１０の端面に任意の文字や図柄をデータ化してそれをレーザー装置からレーザー光を照射する。レーザー光により任意のデザインを描くことができる。レーザー光が照射された爪楊枝１０の端面は溶けて、爪楊枝１０の樹液が出てきてこの樹液にて隣り合う爪楊枝１０が接着される。そのため、Ｒの内側や外側の曲線部分や直線部分には、途中で爪楊枝１０が移動することによる段差が生じることなく、連続した曲線部分や直線部分を維持することができる。そのため、全体としてハッキリ、クッキリとした状態でデザインを表示させることができる。
【選択図】図４【図１】
0005748253.tif 000002
【図２】
0005748253.tif 000003
【図３】
0005748253.tif 000004
【図４】
0005748253.tif 000005
【図５】
0005748253.tif 000006
【図６】
0005748253.tif 000007
【図７】
0005748253.tif 000008
【図８】
0005748253.tif 000009
【図９】
0005748253.tif 000010
【図１０】
0005748253.tif 000011
【図１１】
0005748253.tif 000012
【図１２】
0005748253.tif 000013
【図１３】
0005748253.tif 000014
【図１４】
0005748253.tif 000015